【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】  バッファからデータユニットを選択する段階と、
前記データユニットが送信ウィンドウ内で最後の位置を占めているか否かを決定する段階と、
前記データユニットが以前に伝送されたか否かを決定する段階と、
前記データユニットが送信ウィンドウ内で最後の位置を占め、かつ以前に伝送されなかった場合、前記データユニットと共にポーリング情報を伝送する段階と
を含むことを特徴とする通信システムの信号伝送方法。
【請求項２】  前記データユニットが前記送信ウィンドウ内で最後の位置を占めていない場合、前記データユニットが前記バッファ内の最後のデータユニットであるか否かを決定する段階と、
前記データユニットが前記バッファの最後のデータユニットである場合、データユニットと共にポーリング情報を伝送する段階とを含むことを特徴とする請求項１に記載の通信システムの信号伝送方法。
【請求項３】  前記バッファは、送信バッファであることを特徴とする請求項１又は請求項２に記載の通信システムの信号伝送方法。
【請求項４】  前記データユニットが送信バッファ内の最後のデータユニットでない場合、前記ポーリング情報なしに前記データユニットを伝送することを特徴とする請求項２又は請求項３に記載の通信システムの信号伝送方法。
【請求項５】  前記送信バッファから他のデータユニットを選択する段階と、
前記他のデータユニットが前記送信バッファ内の最後のデータユニットであるか否かを決定する段階と、
前記他のデータユニットが前記バッファ内の最後のデータユニットである場合、前記他のデータユニットと共にポーリング情報を伝送する段階とをさらに含むことを特徴とする請求項４に記載の通信システムの信号伝送方法。
【請求項６】  前記バッファは、再送信バッファであることを特徴とする請求項１に記載の通信システムの信号伝送方法。
【請求項７】  前記データユニットを第３プロトコル階層から受信する段階と、
前記データユニットを前記バッファに格納する段階とをさらに含むことを特徴とする請求項１に記載の通信システムの信号伝送方法。
【請求項８】  前記決定段階は、前記第３プロトコル階層より下位階層である第２プロトコル階層で行われることを特徴とする請求項５に記載の通信システムの信号伝送方法。
【請求項９】  前記伝送段階の以前に前記データユニットを前記第２プロトコル階層より下位階層である第１プロトコル階層に伝達する段階をさらに含むことを特徴とする請求項５に記載の通信システムの信号伝送方法。
【請求項１０】  前記決定段階は、少なくとも送信機とネットワーク装置のうちいずれか１つの無線リンク制御（ＲＬＣ）プロトコル階層で行われることを特徴とする請求項１に記載の通信システムの信号伝送方法。
【請求項１１】  前記決定段階は、ＡＭモードで動作するＲＬＣプロトコル階層で行われることを特徴とする請求項１に記載の通信システムの信号伝送方法。
【請求項１２】  前記ポーリング情報を前記データユニットの所定フィールド内に設定する段階をさらに含むことを特徴とする請求項１に記載の通信システムの信号伝送方法。
【請求項１３】  データが送信機から受信機に伝送され、前記送信機は前記受信機から状態情報を受信するために受信機にポーリング（ｐｏｌｌｉｎｇ）を行うシステムで、送信バッファの伝送されたプロトコルデータユニットに関する状態情報をポーリングする方法において、
送信バッファからデータユニットを選択する段階と、
前記データユニットが送信ウィンドウ内で所定の位置を占めているか否かを決定する段階と、
前記データユニットが前記送信ウィンドウ内で所定の位置を占めている場合、前記データユニットと共にポーリング情報を伝送する段階と、を含み、
前記ポーリング情報を伝送する段階は、
（ａ）選択されたプロトコルデータユニットが前記送信バッファ内の最後のプロトコルデータユニットであるか否かをチェックする段階と、
（ｂ）前記選択されたプロトコルデータユニットが前記送信ウィンドウ内の最後のプロトコルデータユニットであるか否かをチェックする段階と、
（ｃ）前記選択されたプロトコルデータユニットが前記送信バッファ内の最後のプロトコルデータユニットである場合と前記送信ウィンドウ内の最後のプロトコルデータユニットである場合のうち、少なくともいずれか1つの場合であると決定されると、前記選択されたプロトコルデータユニットに少なくとも1つのポーリングビットを設定して受信機に伝送する段階とを含むことを特徴とする状態情報ポーリング方法。
【請求項１４】  前記（ｂ）段階は、前記（ａ)段階の次に行われることを特徴とする請求項１３に記載の状態情報ポーリング方法。
【請求項１５】  前記（ａ）段階は、前記（ｂ）段階の次に行われることを特徴とする請求項１３に記載の状態情報ポーリング方法。
【請求項１６】  前記選択されたプロトコルデータユニットは、ＲＬＣ階層により定義されたデータユニットであることを特徴とする請求項１３に記載の状態情報ポーリング方法。
【請求項１７】  前記ＲＬＣ階層は、移動通信システムの移動通信端末内に位置することを特徴とする請求項１６に記載の状態情報ポーリング方法。
【請求項１８】  前記ＲＬＣ階層は、ネットワーク装置内に位置することを特徴とする請求項１６に記載の状態情報ポーリング方法。
【請求項１９】  前記（ｂ）〜（ｄ）段階は、各伝送時間周期（ＴＴＩ）で前記選択された各プロトコルデータユニットに対して繰り返されることを特徴とする請求項１３に記載の状態情報ポーリング方法。
【請求項２０】  バッファと、
前記バッファから選択されたデータユニットが送信ウィンドウ内の最後のデータユニットであるか否かを決定し、前記データユニットが以前に伝送されたか否かを決定し、前記データユニットが送信ウィンドウ内の最後のデータユニットで、かつ、前記データユニットが以前に伝送されなかった場合、前記データユニットとポーリング情報を共に伝送するポーリング情報設定部と
を含むことを特徴とする通信システム用端末機。
【請求項２１】  前記バッファは、送信バッファであることを特徴とする請求項２０に記載の通信システム用端末機。
【請求項２２】  前記前記ポーリング情報設定部は、前記データユニットが送信ウィンドウ内の最後のデータユニットでないと、前記データユニットが送信バッファ内の最後のデータユニットであるか否かを決定し、前記データユニットが送信バッファ内の最後のデータユニットであると、前記データユニットと共にポーリング情報を伝送することを特徴とする請求項２０に記載の通信システム用端末機。
【請求項２３】  前記ポーリング情報設定部は、前記データユニットが送信バッファ内の最後のデータユニットでないと、前記データユニットをポーリング情報なしに伝送することを特徴とする請求項２２に記載の通信システム用端末機。
【請求項２４】  前記ポーリング情報設定部は、無線リンク制御（ＲＬＣ）プロトコル階層で動作することを特徴とする請求項２０に記載の通信システム用端末機。
【請求項２５】  前記ＲＬＣプロトコル階層は、ＡＭモードで動作することを特徴とする請求項２４に記載の通信システム用端末機。
【請求項２６】  前記ポーリング情報設定部は、前記ポーリング情報を所定フィールドに設定することを特徴とする請求項２０に記載の通信システム用端末機。
【請求項２７】  送信バッファと、
再送信バッファと、
前記送信バッファから選択されたデータユニットが送信ウィンドウ内の最後のデータユニットであるか否かを決定して、前記データユニットが送信ウィンドウ内の最後のデータユニットであると、前記データユニットとポーリング情報を共に伝送し、前記再送信バッファから選択された他のデータユニットが送信ウィンドウ内の最後の再伝送データユニットであるか否かを決定して、前記他のデータユニットが送信ウィンドウ内の最後の再伝送データユニットであると、前記他のデータユニットとポーリング情報を共に伝送するポーリング情報設定部と
を含むことを特徴とする通信システム用端末機。
【請求項２８】  送信バッファから選択されたデータユニットが伝送ウィンドウ内の最後のデータユニットであるか否かを決定する段階と、
前記データユニットが送信ウィンドウ内の最後のデータユニットである場合、前記データユニットとポーリング情報を共に伝送する段階と、
再送信バッファから選択された他のデータユニットが送信ウィンドウ内の最後の再伝送データユニットであるか否かを決定する段階と、
前記他のデータユニットが送信ウィンドウ内の最後の再伝送データユニットである場合、前記他のデータユニットとポーリング情報を共に伝送する段階と
を含むことを特徴とする通信システムのポーリング情報設定方法。